(57)【要約】      （修正有）【課題】宿泊旅行などの際に複数枚の衣類を掛けたり、洗濯物を乾かしたりすることができるとともに、低コストでの製造が可能な組立式の携帯用角ハンガーを提供する。【解決手段】携帯用角ハンガーは、概略倒日字形のフレーム部を有し、フレーム部は、棒状のフレームがヒンジ部により結合された、概略倒コ字形フレーム部及び概略逆Ｔ字形フレーム部、又は、概略カネ字形フレーム及び概略倒Ｆ字形フレームから構成される。【選択図】図１
0003176384.tif 000002
【実用新案登録請求の範囲】
【請求項１】
組立式の携帯用角ハンガーであって、
前記携帯用角ハンガーは、
概略倒日字形をしたフレーム部を有するものであり、
該フレーム部は、
少なくとも４本の棒状をしたフレームを、少なくとも３個のヒンジ部で結合された概略倒コ字形フレーム部と、
少なくとも３本の棒状をしたフレームを、少なくとも２個のヒンジ部で結合された概略逆Ｔ字形フレーム部とが、
嵌合された嵌合部を有するものであることを特徴とする携帯用角ハンガー。
【請求項２】
組立式の携帯用角ハンガーであって、
前記携帯用角ハンガーは、
概略倒日字形をしたフレーム部を有するものであり、
該フレーム部は、
少なくとも３本の棒状をしたフレームを、少なくとも２個のヒンジ部で結合された概略カネ字形フレーム部と、
少なくとも４本の棒状をしたフレームを、少なくとも３個のヒンジ部で結合された概略倒Ｆ字形フレーム部とが、
嵌合された嵌合部を有するものであることを特徴とする携帯用角ハンガー。
【請求項３】
前記概略倒コ字形フレーム部、前記概略逆Ｔ字形フレーム部、前記概略カネ字形フレーム部及び前記概略倒Ｆ字形フレーム部の一部又は全部は、
樹脂材料を用いて一体成形されたものであることを特徴とする請求項１又は請求項２記載の携帯用角ハンガー。
【請求項４】
前記嵌合部は、
ボルトと蝶ナット又は掛金によって、固定されていることを特徴とする請求項１乃至請求項３記載の携帯用角ハンガー。
【請求項５】
前記嵌合部は、
樹脂材料製の一対の脚片を有する係止爪によって、固定されていることを特徴とする請求項１乃至請求項３記載の携帯用角ハンガー。
【考案の詳細な説明】
【技術分野】
【０００１】
本考案は、宿泊旅行の際などに持参して、着ていた上着やシャツ、ズボンなどの衣類を引っ掛けたり、洗濯物を乾かしたりするための組立式の携帯用角ハンガーに関するものである。
【背景技術】
【０００２】
旅行などで宿泊をする際に、ホテルや旅館などに用意されている一般的なハンガーは、単に針金を折り曲げたものであったり、薄板状のプラスチック製のものであったりして奥行きがなく変形しやすいので、それらに上着やズボンなどの衣類を引っ掛けると衣類が型崩れを起こす場合がある。
【０００３】
また、海外旅行などをする場合には、宿泊先のホテルなどにハンガー類が用意されていない場合もあるので、旅行者の多くは洗濯用のロープを持参しているのが現状である。そして、針金を折り曲げたハンガー、薄板状のハンガー及び洗濯用のロープなどを使用して洗濯物を干すと、衣類の表裏が張り付いてしまうために乾きにくく、その結果、翌朝までに衣類を十分に乾燥させることができないという問題点がある。
【０００４】
これらの改善策として、特許文献１のように、和服用に適した折り畳み式ハンガーの考案が開示されている。この考案によると、奥行きがあるので和服等の型崩れが起こりにくく、衣類を掛ける左側棒状部と右側棒状部とを折り畳むことによって、長さ方向の寸法を組み立てた状態の半分程度に折り畳んだ状態で持ち運びをすることができる。
【０００５】
また、特許文献２のように、吊り下げ長さを自由に調節することのできる携帯用ハンガーの考案も開示されている。この考案によると、衣類を支持する支持部材として小径のパイプと大径のパイプを用い、大径のパイプに小径のパイプを挿入した状態で持ち運びをし、使用時には小径のパイプを大径のパイプからスライドさせてロックした状態で使用をすることができる。
【先行技術文献】
【特許文献】
【０００６】
【特許文献１】実公平６−２８０６１号公報
【特許文献２】実用新案登録第３１４９９０６号公報
【考案の概要】
【考案が解決しようとする課題】
【０００７】
しかしながら、上述した特許文献１や特許文献２に記載されているハンガーは、基本的には１個のハンガーで１枚の衣類しか掛けることができないものである。したがって、一度に複数枚の衣類を引っ掛けたり、洗濯後の乾燥が必要になったりするような長期間の旅行をする場合には、あらかじめ複数本のハンガーを持参する必要があり、そのための持ち運びがきわめて煩わしいものであった。加えて、これらのハンガーはその構造上、強度が不十分であったり、衣類の表裏が張り付いてしまうので、湿った洗濯物を十分に乾かしたりすることができないという問題点があった。
【０００８】
そこで、本考案は、１個のハンガーで複数枚の衣類を掛けても型崩れをすることがなく、大形で重い洗濯物を乾かしたりすることができるとともに、組立や分解作業も容易であり、かつ低コストで製造できる組立式の携帯用角ハンガーの提供を目的としている。
【課題を解決するための手段】
【０００９】
本考案は、上述したような従来から使用されている携帯用ハンガーの問題点を解決するものである。
【００１０】
請求項１に記載した考案は、組立式の携帯用角ハンガーであって、
前記携帯用角ハンガーは、概略倒日字形をしたフレーム部を有するものであり、
該フレーム部は、少なくとも４本の棒状をしたフレームを、少なくとも３個のヒンジ部で結合された概略倒コ字形フレーム部と、少なくとも３本の棒状をしたフレームを、少なくとも２個のヒンジ部で結合された概略逆Ｔ字形フレーム部とが、嵌合された嵌合部を有するものであることを特徴としている。
【００１１】
請求項１に記載の考案によると、短時間で組立や分解が可能な携帯用角ハンガーを提供することができる。また、角ハンガーという構造上適度の奥行きを有しており、衣類の型崩れが起こりにくくできることや、衣類の表裏が張り付くことがないので風通しが良く、短時間で洗濯物を乾かすことができる。
【００１２】
加えて、本考案に係る携帯用角ハンガーは、強固で丈夫な構造をしているので、複数枚の衣類を掛けたり、洗濯したバスタオルのような大形で重い洗濯物を乾かしたりすることができるとともに、かつ部品数も少ないので低コストで製造をすることができる。
【００１３】
請求項２に記載した考案は、組立式の携帯用角ハンガーであって、
前記携帯用角ハンガーは、概略倒日字形をしたフレーム部を有するものであり、
該フレーム部は、少なくとも３本の棒状をしたフレームを、少なくとも２個のヒンジ部で結合された概略カネ字形フレーム部と、少なくとも４本の棒状をしたフレームを、少なくとも３個のヒンジ部で結合された概略倒Ｆ字形フレーム部とが、嵌合された嵌合部を有するものであることを特徴としている。
【００１４】
請求項２に記載の考案によると、請求項１に記載の考案と同様に、組立や分解が容易であること、衣類の型崩れが起こりにくくできること、及び短時間で洗濯物を乾かすことができる。加えて、複数枚の衣類を掛けたり、大形で重い洗濯物を乾かしたりすることができるとともに、低コストで製造をすることができる。
【００１５】
請求項３に記載の考案は、請求項１又は請求項２に記載した考案において、
前記概略倒コ字形フレーム部、前記概略逆Ｔ字形フレーム部、前記概略カネ字形フレーム部及び前記概略倒Ｆ字形フレーム部の一部又は全部は、樹脂材料を用いて一体成形されたものであることを特徴としている。
【００１６】
樹脂材料を用いてフレームとヒンジ部の一部又は全部を一体成形することによって、本考案に係る携帯用角ハンガーを低コスト化することができる。
【００１７】
請求項４に記載の考案は、請求項１乃至請求項３記載に記載した考案において、
前記嵌合部は、ボルトと蝶ナット又は掛金によって、固定されていることを特徴としている。
【００１８】
嵌合部にボルトと蝶ナット又は掛金を用いることによって、概略倒コ字形フレーム部と概略逆Ｔ字形フレーム部の嵌合部や、概略カネ字形フレーム部と概略倒Ｆ字形フレーム部の嵌合部をしっかりと固定するとともに、分解も容易にすることができる。
【００１９】
請求項５に記載の考案は、請求項１乃至請求項３に記載した考案において、
前記嵌合部は、樹脂材料製の一対の脚片を有する係止爪によって、固定されていることを特徴としている。
【００２０】
一対の脚片を有する係止爪を用いることによって、概略倒コ字形フレーム部と概略逆Ｔ字形フレーム部の嵌合部や、概略カネ字形フレーム部と概略倒Ｆ字形フレーム部の嵌合部をしっかりと固定するとともに、分解も容易にすることができる。
【考案の効果】
【００２１】
本考案を用いると、短時間で組立をしたり、分解をしたりすることが可能な組立式の携帯用角ハンガーを提供することができる。そして、角ハンガーという構造上適度の奥行きを有するので、衣類の型崩れが起こりにくくできることや、衣類の表裏が張り付くことがなく、風通しを良くすることができるので短時間で洗濯物を乾かすことができる。
【００２２】
また、本考案に係る組立式の携帯用角ハンガーは、強固で丈夫な構造をしているので、１個のハンガーで複数枚の衣類を掛けたり、バスタオルなどの大形で重い洗濯物を乾かしたりすることができるとともに、かつ部品数も少ないので低コストで製造をすることができる。
【図面の簡単な説明】
【００２３】
【図１】（ａ）本考案に係る携帯用角ハンガーの概略図である。
【００２４】
（ｂ）本考案に係る携帯用角ハンガーの使用状態を示す説明図である。
【図２】実施例１の本考案に係る携帯用角ハンガーの組立て手順の説明図である（平面図）。
【図３】本考案に係る携帯用角ハンガーのヒンジ部の説明図である。
【図４】ボルトと蝶ナットを用いた本考案に係る携帯用角ハンガーの嵌合部の説明図である。
【図５】掛金を用いた本考案に係る携帯用角ハンガーの嵌合部の説明図である。
【図６】係止爪を用いた本考案に係る携帯用角ハンガーの嵌合部の説明図である。
【図７】フレーム数を増やした場合の本考案に係る携帯用角ハンガーの組立て前の状態を示す概略図である。
【図８】実施例４の本考案に係る携帯用角ハンガーの組立て手順の説明図である（平面図）。
【考案を実施するための形態】
【００２５】
以下において、本考案に係わる組立式携帯用角ハンガーの実施の形態について図１〜図８を用いて詳細に説明する。
【００２６】
本考案に係わる携帯用角ハンガー１の主な部材は、衣類や洗濯物を掛けた状態で固定するための概略倒日字形をしたフレーム部５と、フレーム部５の上面端部に固着されて吊り紐３を固定するための４個の吊り紐取付部４と、吊り紐３をホテルのカーテンレール（図示せず。）などに引っ掛けるためのフック２などで構成されている（図１（ａ））。
【００２７】
図１（ｂ）に、本考案に係わる組立式の携帯用角ハンガー１に、衣類や洗濯物を掛けた使用状態が示されている。別途持参したピンチ４７（洗濯バサミ）などで、ハンカチ４５などの洗濯物などがずり落ちないように両側から挟むこともできる。
【００２８】
後述するように、本考案に係わる組立式の携帯用角ハンガー１は、主要部分であるフレーム部５として棒材、例えば、一定の断面積を有する角棒材や丸棒材などを用いている。したがって、フレーム部５として適度の奥行き（一定の厚み）を有するので衣類の型崩れを起こしにくくできることや、洗濯物の表裏が張り付きにくく、その結果、翌朝までに十分に乾燥させることができるという優れた特徴を有するものである。
【実施例１】
【００２９】
実施例１として、断面が略正方形をした木製の角棒材をフレーム１１〜１７に用いた場合について説明する。なお、木製の角棒材に替えて押出し成形されたステンレス鋼やアルミニウム合金などの錆びにくい金属製のパイプ材、成形加工された樹脂製の角棒材や丸棒材、樹脂で被覆された木材などもフレーム１１〜１７の材料として用いることができる。
（フレーム部５の概略構造）
実施例１に係わる概略倒日字形をしたフレーム部５は、後述するように嵌合直前の概略形状から、４本のフレームをヒンジ部で連結した概略倒コ字形フレーム部６と、３本のフレームをヒンジ部で連結した概略逆Ｔ字形フレーム部７と呼ぶ一対の構成部品を、３箇所の嵌合部Ｋで嵌合させることによって形成されるものである（図２（ｃ））。
【００３０】
本考案に係わる携帯用角ハンガー１のフレーム部５の構造及び組立て手順について、図２を用いて詳細に説明する。なお、組み立てられたフレーム部５を持ち運びが可能な状態に分解する場合には、以下の説明とは逆の手順ですることができる。
【００３１】
図２は平面図で記載されており、理解を容易にするために吊り紐３やフック２等の部分は省略されている。また、図２において、図面の上方向の部分を上側、下方向の部分を下側、左方向の部分を左側、右方向の部分を右側とそれぞれを呼ぶことにする。
【００３２】
フレーム部５を構成する４本のフレーム１１〜１４をヒンジ部で連結した概略倒コ字形フレーム部６と、３本のフレーム１５〜１７をヒンジ部で連結した概略逆Ｔ字形フレーム部７とは、折り畳んで袋体３６などに入れた状態で持ち運びをすることができる（図２（ａ）、右側図）。
（概略倒コ字形フレーム部６）
概略倒コ字形フレーム部６は、４本の角棒材（フレーム１１〜１４）をヒンジ部２１ａ〜ｃ、例えば、蝶番２４などを用いて一定方向に折れ曲りが可能な状態で結合されている（図２（ａ）、図３（ａ））。以下において、フレーム１１のほぞ部２２ａの寸法を除く部分の長さを基準寸法として、他のフレーム１２〜１７の長さ寸法を規定する（図２（ａ））。
【００３３】
フレーム１２とフレーム１４は、フレーム１１の基準寸法と同じ寸法であり、フレーム１３はフレーム１１よりも角棒材の断面厚みに相当する分だけ長い寸法とした。フレーム１１〜１４をこの寸法にすることによって、後述するように概略逆Ｔ字形フレーム部７との嵌合後の概略倒日字形をしたフレーム部５を左右対称な形状にすることができる。したがって、衣類等を掛けない状態において概略倒日字形をしたフレーム部５の左右のバランスを平衡状態に保つことができる。
【００３４】
フレーム１１の下側にはほぞ部２２ａが、フレーム１４の下側にはほぞ部２２ｂが、角棒材の断面厚みに相当する長さでそれぞれ下方向に形成されている。ほぞ部２２ａはフレーム１５のほぞ穴部２３ｂと、ほぞ部２２ｂはフレーム１６のほぞ穴部２３ｃとそれぞれ嵌合するものである。
【００３５】
また、フレーム１３の下側には、左右方向にほぞ穴部２３ａが形成されている。このほぞ穴部２３ａは、フレーム１７のほぞ部２２ｃと嵌合するものである。
【００３６】
フレーム１１とフレーム１２とは上側のヒンジ部２１ａで、フレーム１２とフレーム１３とは下側のヒンジ部２１ｂで、フレーム１３とフレーム１４とは上側のヒンジ部２１ｃでそれぞれ結合されており、これら４本のフレームは折れ曲り可能な状態で一体化されている。
（概略逆Ｔ字形フレーム部７）
概略逆Ｔ字形フレーム部７は、３本の角棒材（フレーム１５〜１７）をヒンジ部２１ｄ、ｅ、例えば、蝶番２４などを用いて折れ曲り可能な状態で結合されている。
【００３７】
上述したフレーム１１の長さを基準寸法として比較すると、フレーム１５はフレーム１１よりも角棒材の断面厚みに相当する分だけ長い寸法となっており、フレーム１６はフレーム１１よりも角棒材の断面厚みの２倍に相当する分だけ長い寸法となっており、フレーム１７はフレーム１１と同じ長さの寸法となっている。
【００３８】
概略逆Ｔ字形フレーム部７を構成するフレーム１５〜１７を、この長さ寸法にすることによって、概略倒コ字形フレーム部６との嵌合後の概略倒日字形をしたフレーム部５を左右対称にすることができるので、衣類等を掛けない状態においてバランスを平衡状態に保つことができる。
【００３９】
フレーム１７の下側には、角棒材の断面厚みに相当するほぞ部２２ｃが下方向に形成されている。このほぞ部２２ｃは、上述したほぞ穴部２３ａと嵌合するものである。
【００４０】
また、フレーム１５の下側とフレーム１６の下側には、左右方向にそれぞれほぞ穴部２３ｂ、２３ｃが形成されている。このほぞ穴部２３ｂ及び２３ｃは、上述したフレーム１１のほぞ部２２ａ及びフレーム１４のほぞ部２２ｂとそれぞれ嵌合するものである。
【００４１】
フレーム１５とフレーム１６とは上側のヒンジ部２１ｄ、例えば、蝶番２４を用いて結合されており、フレーム１６とフレーム１７とは、フレーム１６の右上側から角棒材の断面厚みに相当する分だけ下側方向であり、かつフレーム１７の左上側の部分でヒンジ部２１ｅにより結合されており、これら３本のフレームは折れ曲り可能な状態で一体化されている。
（概略倒日字形をしたフレーム部５の組立て）
図２（ａ）に示されている概略倒コ字形フレーム部６において、フレーム１１を左方向に、フレーム１４を右方向に移動させながら開いていくと、フレーム１１〜フレーム１４はヒンジ部２１ａ〜ｃで折れ曲り、全体形状として概略Ｍ字型になる（図２（ｂ））。
【００４２】
さらに、開いていくとフレーム１２とフレーム１３とが突き合わされた状態となり直線状になる。一方、フレーム１１とフレーム１２とのヒンジ部２１ａを略直角にし、フレーム１３とフレーム１４とのヒンジ部２１ｃを略直角にすることによって、概略倒コ字形フレーム部６となる（図２（ｃ））。
【００４３】
一方、図２（ａ）に示されている概略逆Ｔ字形フレーム部７のうちで、フレーム１５を左上側方向に、フレーム１６を右上側方向に開いていくと（図２（ｂ））、フレーム１５とフレーム１６が突き合わされた状態となり直線状になる（図２（ｃ））。
【００４４】
この状態でフレーム１７を左上側方向に立ち上げることによって（図２（ｂ））、フレーム１７の下側の底面部分とフレーム１６の左端の上面部分とが当接して、概略逆Ｔ字形フレーム部７となる（図２（ｃ））。
【００４５】
この状態で、フレーム１５のほぞ穴部２３ｂにフレーム１１のほぞ部２２ａを、フレーム１３のほぞ穴部２３ａにフレーム１７のほぞ部２２ｃを、フレーム１６のほぞ穴部２３ｃにフレーム１１のほぞ部２２ｂの３箇所を嵌合させた嵌合部Ｋを形成して、概略倒日字形をしたフレーム部５の組立てが完了する。フレーム部５は、上述した３箇所の嵌合部Ｋを有しているので、携帯用角ハンガー１として通常の使用状況において特に問題はない。
（ほぞ部２２ａ〜ｃとほぞ穴部２３ａ〜ｃの嵌合部Ｋの強化）
上述した３箇所の嵌合部Ｋをより強固に固定するには、以下に示すような手段を用いることができる。例えば、あらかじめフレーム１７のほぞ部２２ｃに孔２６ｂを、フレーム１３のほぞ穴部２３ａの上下の位置に孔２６ａをそれぞれ設けておき、嵌合後に孔２６ｂ及び孔２６ａの部分をボルト２８と蝶ナット２７で嵌合部Ｋを固定する手段が用いられる（図４）。
【００４６】
また、あらかじめフレーム１７のほぞ部２２ｃの先端部分に、金属性の掛金２９を取り付けておき、フレーム１３のほぞ穴部２３ａを通過させた嵌合後に約９０度回転させて嵌合部Ｋを固定する手段を用いることもできる（図５）。
（組立式の携帯用角ハンガーの完成）
その後、フレーム１２、フレーム１３、フレーム１５及びフレーム１６の吊り紐取付部４に、先端部分にクリップ（図示せず。）などの付いた吊り紐３を取付け、吊り紐３の略中央部にフック２を取付けることによって本考案に係る組立式の携帯用角ハンガー１が完成する図１（ａ）。なお、図２（ｂ）の状態で、あらかじめ概略倒コ字形フレーム部６にズボン４２のベルトループ４３を通しておき、概略逆Ｔ字形フレーム部７にシャツ４１の袖を通しておくことによって、図１（ｂ）の使用状態で示されるようにズボン４２やシャツ４１などを携帯用角ハンガー１に引っ掛けることができる。
【００４７】
上述したように、本考案を用いると短時間で組立や分解が可能な携帯用角ハンガー１を提供することができる。また、角ハンガーという構造上適度の奥行き（一定の厚み）を有するので、衣類の型崩れが起こりにくくできることや、衣類の表裏が張り付いてしまうことがないので風通しを良くすることができ、短時間で洗濯物を乾かすことができる。
【００４８】
加えて、本考案に係る携帯用角ハンガーは、概略倒日字形をしたフレーム部６の中央部分に背骨の役割をするフレーム１７が嵌合されているので強固で丈夫な構造となっている。したがって、本考案に係る携帯用角ハンガーは耐久性に優れたものであり、１個のハンガーで複数枚の衣類を掛けたり、洗濯したバスタオルのような大形で重い洗濯物を乾かしたりすることができるとともに、かつ部品数も少ないので低コストで製造をすることができる。
【実施例２】
【００４９】
実施例２として、概略倒日字形をしたフレーム部５に樹脂製の角棒材を用いた場合について説明する。なお、実施例１との相違部分のみを詳細な説明をすることにして、同一部分については同一の記号を用いるとともに詳細な説明は省略する。
【００５０】
実施例２では、フレーム部５に樹脂材料を用いるとともに、概略倒コ字形フレーム部６と概略逆Ｔ字形フレーム部７のそれぞれを一体成形して製造するようにした。例えば、概略倒コ字形フレーム部６については、フレーム１１〜１４、ヒンジ部２１ａ〜２１ｃ、ほぞ部２２ａ、ほぞ部２２ｃ及びほぞ穴部２３ａなどの一部又は全部を一体成形して製造した。
【００５１】
概略倒コ字形フレーム部６に樹脂材料を用いて一体成形して製造することによって、蝶番２４に換えて、フレーム１１〜１４と同一の樹脂材料による一体成形ヒンジ２５を形成することができる（図３（ｂ））。
【００５２】
また、概略逆Ｔ字形フレーム部７に樹脂材料を用いて一体成形することによって、フレーム１７の先端部分をほぞ部２２ｃに換えて、一対の脚片３２を有する係止爪３１を形成することができる（図６（ａ））。
【００５３】
そして、フレーム１７の先端部分の一対の脚片３２を有する係止爪３１を、互いの間隔が近接するように押圧した状態でフレーム１３のほぞ穴部２３ａに押し込んだ後に押圧状態を開放する。その結果、一対の脚片３２を有する係止爪３１が開いた状態になり、この嵌合部Ｋでフレーム１７とフレーム１３とが強固に固定される（図６（ｂ））。
【００５４】
また、一対の脚片３２が互いに接近するように指で摘んで押圧した状態のままフレーム１７を引き抜くことにとって、フレーム１７とフレーム１３とは簡単に取り外すことができる（図６（ｂ）に押圧方向を矢印で示す。）。本実施例では、フレーム１７とフレーム１３との嵌合部Ｋについて詳細な説明をしたが、他の２箇所の嵌合部Ｋについても同様の手段を用いることができる。
【００５５】
上述したように、樹脂材料を用いて一体成形ヒンジ２５や一対の脚片３２を有する係止爪３１などを有する概略倒コ字形フレーム部６と、概略逆Ｔ字形フレーム部７のそれぞれを一体成形によって製造できるようにした。
【００５６】
なお、フレーム１１〜１４やフレーム１５〜１７の一部、例えば、フレーム１１とフレーム１４の部分のみを一体成形し、その後に蝶番２４などで結合して概略倒コ字形フレーム部６や概略逆Ｔ字形フレーム部７を製造することもできる。
【００５７】
本実施例２のように、概略倒コ字形フレーム部や概略逆Ｔ字形フレーム部の一部又は全部を樹脂材料を用いて一体成形することによって、携帯用角ハンガーを低コストで製造をすることができるとともに組立や分解も容易になる。
【実施例３】
【００５８】
実施例３として、実施例１及び実施例２の変形例について説明する（図７）。なお、実施例１及び実施例２との相違部分のみを詳細な説明をすることにして、同一部分についての詳細な説明は省略する。
【００５９】
実施例３は、概略倒コ字形フレーム部６が計６本のフレームで構成されており、概略逆Ｔ字形フレーム部７が計５本のフレームで構成されている場合について説明する。
【００６０】
なお、実施例１では、概略倒コ字形フレーム部６は４本のフレーム１１〜１４で構成されており、概略逆Ｔ字形フレーム部７は３本のフレーム１５〜１７で構成されていた。
【００６１】
しかし、概略倒コ字形フレーム部６に新たに２個のヒンジ部を加えることによって、６本のフレームで構成することもできる（図７（ａ））。同様に、概略逆Ｔ字形フレーム部７を、新たに２個のヒンジ部を加えることによって５本のフレームで構成することもできる（図７（ｂ））。
【００６２】
概略倒コ字形フレーム部６と概略逆Ｔ字形フレーム部７を上述した構成にすることによって、長さ方向に短い寸法のフレーム材料を用いることができる。したがって、実施例３に係る携帯用角ハンガーは、端木材などを使用することができるので資源の有効利用をはかることができる。
【実施例４】
【００６３】
実施例４として、実施例１乃至実施例３の変形例について説明する（図８）。なお、実施例１乃至実施例３との相違部分のみを詳細な説明をすることにして、同一部分についての詳細な説明は省略する。
（フレーム部５の概略構造）
実施例４に係わる組立式の概略倒日字形をしたフレーム部５は、上述した実施例１と同一の形状をしている。ここで実施例１との相違点は、嵌合直前の概略形状から、３本のフレームをヒンジ部で連結した概略カネ字形フレーム部１０１と、４本のフレームをヒンジ部で連結した概略倒Ｆ字形フレーム部１０２と呼ぶ２個の構成部品を嵌合することによって嵌合部Ｋを有するフレーム部５が形成されるという点である（図８（ｃ））。
【００６４】
なお、図８は平面図で記載されており、理解を容易にするために吊り紐３やフック２等は省略されている。また、図８において、図面の上方向の部分を上側、下方向の部分を下側、左方向の部分を左側、右方向の部分を右側とそれぞれを呼ぶことにする。
【００６５】
本実施例として、フレーム部５を構成する７本のフレーム１１１〜１１７に、断面が略正方形をした木製の角棒材を用いることにした。
（概略カネ字形フレーム部１０１の構造）
概略カネ字形フレーム部１０１は、３本の角棒材（フレーム１１１〜１１３）と２個のヒンジ部１２１ａ、ｂで構成されている（図７（ａ））。
【００６６】
フレーム１１１の上側にはほぞ穴部１２３ａが、フレーム１１２の下側にはほぞ穴部１２３ｂがそれぞれ左右方向に形成されている。ほぞ穴部１２３ａはフレーム１１４のほぞ部１２２ｂと、ほぞ穴部１２３ｂはフレーム１１７のほぞ部１２２ｃとそれぞれ嵌合するものである。
【００６７】
また、フレーム１１３の下側には、下方向にほぞ部１２２ａが角棒材の断面厚みに相当する長さで形成されている。このほぞ部１２２ａは、フレーム１１６のほぞ穴部１２３ｃと嵌合するものである。
【００６８】
フレーム１１１とフレーム１１２とは下側のヒンジ部１２１ａで、フレーム１１２とフレーム１１３とは上側のヒンジ部１２１ｂでそれぞれ結合されており、これら３本のフレームは折れ曲り可能な状態で一体化されている。
（概略倒Ｆ字形フレーム部１０２の構造）
概略倒Ｆ字形フレーム部１０２は、４本の角棒材（フレーム１１４〜１１７）と３個のヒンジ部１２１ｃ、ｄ、ｅで構成されている（図８（ａ））。
【００６９】
フレーム１１４の上側にはほぞ部１２２ｂが、フレーム１１７の下側にはほぞ部１２２ｃが、それぞれ角棒材の断面厚みに相当するように下方向に形成されている。このほぞ部１２２ｂはフレーム１１１のほぞ穴部１２３ａと、ほぞ部１２２ｃはフレーム１１２のほぞ穴部１２３ｂとそれぞれ嵌合するものである。
【００７０】
また、フレーム１１６の下側には、左右方向にほぞ穴部１２３ｃが形成されている。このほぞ穴部１２３ｃは、フレーム１１３のほぞ部１２２ａと嵌合するものである。
【００７１】
フレーム１１４とフレーム１１５とは、フレーム１１４の右下端でフレーム１１５の左下端から角棒材の断面厚みに相当する分だけ上方向の部分でヒンジ部１２１ｃにより結合されている。フレーム１１５とフレーム１１６とは、上側のヒンジ部１２１ｄで結合されている。フレーム１１６とフレーム１１７とは、フレーム１１６の右上側から角棒材の断面厚みに相当する分だけ下方向であり、かつフレーム１１７の左上側の部分でヒンジ部１２１ｅにより結合されている。
（フレーム部５の組立て）
図８（ａ）に示されている概略カネ字形フレーム部１０１において、フレーム１１１を左側方向に、フレーム１１３を右側方向に移動させながら開いていくと、フレーム１１１〜１１３はヒンジ部１２１ａ、ｂで折れ曲り、全体形状として概略Ｎ字型になる（図８（ｂ））。
【００７２】
さらに、開いていくとフレーム１１１とフレーム１１２とが突き合わされた状態となり一直線状になる。一方、フレーム１１２とフレーム１１３とのヒンジ部１２１ｂを略直角にすることによって、概略カネ字形フレーム部１０１の形状となる（図８（ｃ））。
【００７３】
一方、図８（ａ）に示されている概略倒Ｆ字形フレーム部１０２のうちで、フレーム１１５を左上側方向に、フレーム１１６を右上側方向に開いていくと（図８（ｂ））、フレーム１１５とフレーム１１６とが突き合わされた状態となり直線状になる（図８（ｃ））。
【００７４】
この状態でフレーム１１４とフレーム１１７を左上側方向に立ち上げることによって、フレーム１１４の底面部分とフレーム１１５の左端上面部分とが当接し、フレーム１１７の底面部分とフレーム１１６の左端上面部分とが当接して、概略倒Ｆ字形フレーム部１０２となる（図８（ｃ））。
【００７５】
概略カネ字形フレーム部１０１と概略倒Ｆ字形フレーム部１０２とを、フレーム１１１のほぞ穴部１２３ａにフレーム１１４のほぞ部１２２ｂを、フレーム１１２のほぞ穴部１２３ｂにフレーム１１７のほぞ部１２２ｃを、フレーム１１６のほぞ穴部１２３ｃにフレーム１１３のほぞ部１２２ａの３箇所で嵌合させた嵌合部Ｋを形成して概略倒日字形をしたフレーム部５の組立てが完了する。
【００７６】
これら３箇所の嵌合部Ｋがあれば、携帯用角ハンガー１として通常の使用状況において特に問題はないが、より強固に固定する手段としては上述したような手段を用いることができる（図４〜図６）。
【００７７】
また、実施例２で説明をしたように、概略カネ字形フレーム部１０１と概略倒Ｆ字形フレーム部１０２の一部又は全部を樹脂材料を用いて一体成形することによって低コスト化をすることができる。加えて、実施例３で説明をしたように、長さ方向に短い寸法の端木材などを使用することができるので資源の有効利用をはかることができる。
【産業上の利用可能性】
【００７８】
本考案は、宿泊旅行などの際に持ち運びをすることが可能な携帯用角ハンガーとして利用をすることができる。
【符号の説明】
【００７９】
１    携帯用角ハンガー
２    フック
３    吊り紐
４    吊り紐取付部
５    フレーム部
６    概略倒コ字形フレーム部
７    概略逆Ｔ字形フレーム部
１１    フレーム
１２    フレーム
１３    フレーム
１４    フレーム
１５    フレーム
１６    フレーム
１７    フレーム
２１ａ、ｂ、ｃ、ｄ、ｅ    ヒンジ部
２２ａ、ｂ、ｃ    ほぞ部
２３ａ、ｂ、ｃ    ほぞ穴部
２４    蝶番
２５    一体成形ヒンジ
２６ａ、ｂ    孔
２７    蝶ナット
２８    ボルト
２９    掛金
３１    係止爪
３２    脚片
３６    袋体
４１    シャツ
４２    ズボン
４３    ベルトループ
４４    バスタオル
４５    ハンカチ
４７    ピンチ（洗濯バサミ）
５１    フレーム
５２    フレーム
５３    フレーム
５４    フレーム
５５    フレーム
５６    フレーム
５７    フレーム
５８    フレーム
６１ａ、ｂ、ｃ、ｄ    ヒンジ部
６６    概略倒コ字形フレーム部
６７    概略逆Ｔ字形フレーム部
１０１    概略カネ字形フレーム部
１０２    概略倒Ｆ字形フレーム部
１１１    フレーム
１１２    フレーム
１１３    フレーム
１１４    フレーム
１１５    フレーム
１１６    フレーム
１１７    フレーム
１２１ａ、ｂ、ｃ、ｄ、ｅ    ヒンジ部
１２２ａ、ｂ、ｃ    ほぞ部
１２３ａ、ｂ、ｃ    ほぞ穴部
Ｋ    嵌合部
【図１】
0003176384.tif 000003
【図２】
0003176384.tif 000004
【図３】
0003176384.tif 000005
【図４】
0003176384.tif 000006
【図５】
0003176384.tif 000007
【図６】
0003176384.tif 000008
【図７】
0003176384.tif 000009
【図８】
0003176384.tif 000010
【手続補正書】
【提出日】平成24年4月11日(2012.4.11)
【手続補正１】
【補正対象書類名】実用新案登録請求の範囲
【補正対象項目名】全文
【補正方法】変更
【補正の内容】
【実用新案登録請求の範囲】
【請求項１】
組立式の携帯用角ハンガーであって、
前記携帯用角ハンガーは、
概略倒日字形をしたフレーム部を有するものであり、
該フレーム部は、
概略倒コ字形フレーム部（６）と概略逆Ｔ字形フレーム部（７）とで構成されており、
少なくとも４本の棒状をしたフレームを、少なくとも３個のヒンジ部で結合された前記概略倒コ字形フレーム部（６）と、
少なくとも３本の棒状をしたフレームを、少なくとも２個のヒンジ部で結合された前記概略逆Ｔ字形フレーム部（７）とが、
嵌合された嵌合部を有するものであることを特徴とする携帯用角ハンガー。
【請求項２】
組立式の携帯用角ハンガーであって、
前記携帯用角ハンガーは、
概略倒日字形をしたフレーム部を有するものであり、
該フレーム部は、
概略カネ字形フレーム部（１０１）と概略倒Ｆ字形フレーム部（１０２）とで構成されており、
少なくとも３本の棒状をしたフレームを、少なくとも２個のヒンジ部で結合された前記概略カネ字形フレーム部（１０１）と、
少なくとも４本の棒状をしたフレームを、少なくとも３個のヒンジ部で結合された前記概略倒Ｆ字形フレーム部（１０２）とが、
嵌合された嵌合部を有するものであることを特徴とする携帯用角ハンガー。
【請求項３】
前記概略倒コ字形フレーム部（６）、前記概略逆Ｔ字形フレーム部（７）、前記概略カネ字形フレーム部（１０１）及び前記概略倒Ｆ字形フレーム部（１０２）の一部又は全部は、
樹脂材料を用いて一体成形されたものであることを特徴とする請求項１又は請求項２記載の携帯用角ハンガー。
【請求項４】
前記嵌合部は、
ボルトと蝶ナット又は掛金によって、固定されていることを特徴とする請求項１乃至請求項３のいずれか一項に記載の携帯用角ハンガー。
【請求項５】
前記嵌合部は、
樹脂材料製の一対の脚片を有する係止爪によって、固定されていることを特徴とする請求項１乃至請求項３のいずれか一項に記載の携帯用角ハンガー。